(57)【特許請求の範囲】
【請求項１】
入力される映像信号に、予め定める処理を施す複数の映像信号処理手段と、
各前記映像信号処理手段に電力を供給する電力供給手段と、
各前記映像信号処理手段および前記電力供給手段を制御する制御手段と、
各前記映像信号処理手段を冷却する冷却手段とを備え、
各前記映像信号処理手段は、
少なくとも１フレーム分の映像データの書込みおよび読出しが可能な記憶手段と、
入力される映像信号を、前記記憶手段に書込み可能な映像データに変換する入力手段と、
前記入力手段によって変換された映像データを前記記憶手段に書込む書込手段と、
前記記憶手段に書込まれた映像データを前記記憶手段から読出す読出手段と、
前記読出手段によって前記記憶手段から読出された映像データを、外部の装置に出力可能な出力手段とを備え、
前記電力供給手段は、前記記憶手段、前記入力手段、前記書込手段、前記読出手段および前記出力手段にそれぞれ電力を供給可能に構成され、
前記制御手段は、各前記映像信号処理手段の動作モードを、（ａ）前記入力手段、前記書込手段、前記読出手段および前記出力手段が動作する通常モードと、（ｂ）前記入力手段および前記書込手段の動作が停止され、前記読出手段および前記出力手段が動作する省電力モードとの間で切換え可能に構成され、
前記電力供給手段は、前記冷却手段に電力を供給する機能を有し、
複数の前記映像信号処理手段は、前記動作モードを個別に切換可能であり、
前記制御手段は、各前記映像信号処理手段の動作モードに応じて、前記冷却手段の動作を制御することを特徴とする映像信号処理装置。
【請求項２】
前記制御手段は、前記省電力モードでは、前記入力手段の動作と前記書込手段の動作とが、一定のサイクルで連動して停止と再開とを繰返すように、各前記映像信号処理手段を制御することを特徴とする請求項１に記載の映像信号処理装置。
【請求項３】
入力される映像信号に、予め定める処理を施す映像信号処理手段と、
前記映像信号処理手段に電力を供給する電力供給手段と、
前記映像信号処理手段および前記電力供給手段を制御する制御手段と、
前記映像信号処理手段を冷却する冷却手段とを備え、
少なくとも１つの前記映像信号処理手段を含み、入力される映像信号を一定の映像信号に変換して出力する映像入力手段と、
少なくとも１つの前記映像信号処理手段を含み、前記一定の映像信号を、予め定められる映像フォーマットの映像信号を出力する映像出力手段と、
前記映像入力手段から出力される前記一定の映像信号を切換または分配して、前記映像出力手段に出力するスイッチ手段とを備え、
前記映像信号処理手段は、
少なくとも１フレーム分の映像データの書込みおよび読出しが可能な記憶手段と、
入力される映像信号を、前記記憶手段に書込み可能な映像データに変換する入力手段と、
前記入力手段によって変換された映像データを前記記憶手段に書込む書込手段と、
前記記憶手段に書込まれた映像データを前記記憶手段から読出す読出手段と、
前記読出手段によって前記記憶手段から読出された映像データを、外部の装置に出力可能な出力手段とを備え、
前記電力供給手段は、
前記記憶手段、前記入力手段、前記書込手段、前記読出手段および前記出力手段にそれぞれ電力を供給可能に構成され、
前記冷却手段に電力を供給する機能を有し、
前記制御手段は、
前記映像信号処理手段の動作モードを、（ａ）前記入力手段、前記書込手段、前記読出手段および前記出力手段が動作する通常モードと、（ｂ）前記入力手段および前記書込手段の動作が停止され、前記読出手段および前記出力手段が動作する省電力モードとの間で切換え可能に構成され、
前記映像入力手段および前記映像出力手段に含まれる前記映像信号処理手段を個別に制御可能であり、各前記映像信号処理手段の動作モードに応じて、前記冷却手段の動作を制御することを特徴とする映像信号処理装置。
【請求項４】
複数の前記映像信号処理手段を備え、
複数の前記映像信号処理手段は、前記動作モードを個別に切換可能であり、
前記制御手段は、各前記映像信号処理手段の動作モードに応じて、前記冷却手段の動作を制御することを特徴とする請求項３に記載の映像信号処理装置。
【請求項５】
前記制御手段は、前記省電力モードでは、前記入力手段の動作と前記書込手段の動作とが、一定のサイクルで連動して停止と再開とを繰返すように、各前記映像信号処理手段を制御することを特徴とする請求項３または４に記載の映像信号処理装置。
【請求項６】
前記映像入力手段には、撮像範囲内の映像の変化を検知して外部へ通知可能な撮像手段が接続され、
前記映像入力手段に接続されている前記撮像手段に関する情報を保持する映像管理テーブルを記憶する映像管理テーブル記憶手段と、
前記映像入力手段に含まれる前記映像信号処理手段の省電力モードに関する情報を保持する省電力設定テーブルを記憶する省電力設定テーブル記憶手段とを備え、
前記制御手段は、前記撮像手段から前記映像の変化の通知を受信すると、前記映像管理テーブルおよび前記省電力設定テーブルに基づいて、前記映像信号処理手段の動作モードを切替えることを特徴とする請求項３から５のいずれか１つに記載の映像信号処理装置。
【請求項７】
前記省電力設定テーブルは、前記映像入力手段に含まれる前記映像信号処理手段の停止期間を表すフレーム数を含むことを特徴とする請求項６に記載の映像信号処理装置。
【請求項８】
前記映像管理テーブルは、
前記映像入力手段に接続されている前記撮像手段を識別する識別情報と、
前記省電力モードから前記通常モードに切換えられた時点から、再度省電力モードに切換えられるまでの時間を表す通常モード時間とを含むことを特徴とする請求項６または７に記載の映像信号処理装置。
【発明の詳細な説明】
【技術分野】
【０００１】
本発明は、入力された映像信号に所定の処理を施し、処理を施した映像信号を、外部の装置たとえば液晶ディスプレイまたはプロジェクタなどの映像表示装置に出力する映像信号処理装置に関する。
【背景技術】
【０００２】
電力および交通などのインフラストラクチャ（infrastructure；略称：インフラ）の分野の映像表示システムでは、複数の監視カメラの映像を、１つまたは複数の映像表示装置に同時に表示する必要がある。そこで、複数の映像が、任意の大きさおよび位置で、予め定める優先度に基づいて表示されるように、各監視カメラから入力される映像信号に処理を施す映像信号処理装置が用いられている（たとえば、特許文献１参照）。
【０００３】
映像表示装置としては、比較的高い解像度の映像信号に基づいて映像を表示する映像表示装置（以下「高解像度の映像表示装置」という場合がある）が多用されている。このような高解像度の映像表示装置としては、たとえば、表示画面のピクセル数が「１９２０×１２００」である映像表示装置、および高精細テレビジョン（High Definition Television；略称：ＨＤＴＶ）装置の規格である「１０８０ｐ」に対応した映像表示装置がある。
【０００４】
このような高解像度の映像表示装置に入力される映像信号としては、これらの映像表示装置で表示される映像の映像信号よりも低い解像度、たとえば表示画面のピクセル数で「６４０×４８０」または「１０２４×７６８」などの映像信号がある。また、デジタルバーサタイルディスク（Digital Versatile Disc；略称：ＤＶＤ）プレイヤーから出力されるビデオ信号などもある。
【０００５】
したがって、高解像度の映像表示装置に映像を表示するために映像信号に所定の処理を施す映像信号処理装置には、比較的大規模でかつ比較的高速に動作することが要求されている。
【０００６】
このような映像信号処理装置を構成するデバイス、たとえばアナログデジタル変換回路（Analog-to-Digital Converter；略称：ＡＤコンバータ）、フレームメモリ、およびそのフレームメモリを制御する制御デバイスは、動作の高速化に伴い、多量に発熱するようになっている。これらのデバイスが発熱することによって、各デバイスの実装されているプリント基板およびそのプリント基板が格納されているセット内の温度が上昇する。この温度の上昇によって、各デバイスが、規定された動作温度を超えると、誤動作を引き起こすことがある。最悪の場合には、故障することもある。
【０００７】
そこで、ファンなどの冷却手段によって、映像信号処理装置に相当する信号処理部を冷却することが提案されている（たとえば、特許文献２参照）。
【先行技術文献】
【特許文献】
【０００８】
【特許文献１】特開２００１−２９６８５６号公報
【特許文献２】特開２００９−２８８６８９号公報
【発明の概要】
【発明が解決しようとする課題】
【０００９】
インフラ分野の映像表示システムで用いられる監視カメラは、予め定める更新間隔、たとえば３０フレーム／秒または６０フレーム／秒の更新間隔で、表示内容を更新する映像信号を出力する。
【００１０】
監視カメラとしては、監視映像内に動きが生じた場合に、アラーム出力端子またはイーサネット（登録商標）端子から外部へ通知する動体検知機能を有するものが増えている。たとえば、侵入を監視する目的で用いられる監視カメラでは、撮影範囲内で変化があった場合にのみ、予め定める更新間隔で表示内容を更新すればよい。撮影範囲内で変化が無い平常状態の場合には、予め定める更新間隔よりも長い更新間隔で表示内容を更新するようにしても問題はない。
【００１１】
しかし、従来の映像信号処理装置は、変化があった場合および平常状態の場合のいずれの場合でも、カメラから入力される映像信号を、予め定める更新間隔で取り込み、映像表示装置に与えるように構成されている。したがって、平常状態の場合には、不要な更新が行われ、無駄に電力が消費されてしまうという問題がある。
【００１２】
前述の特許文献２に開示される技術では、カメラから入力される映像信号に応じて、ファンなどの冷却手段を制御しているが、前述の平常状態の場合のように、頻繁に表示内容を更新する必要がない場合の動作については考慮されていない。
【００１３】
したがって、頻繁に表示内容を更新する必要がない場合、たとえば、入力される映像信号が、広告などの静止画像の映像信号である場合でも、それらの映像信号を処理するための回路が動作するので、無駄に電力が消費されてしまうという問題がある。
【００１４】
本発明の目的は、消費電力を可及的に抑制することができる映像信号処理装置を提供することである。
【課題を解決するための手段】
【００１５】
本発明の映像信号処理装置は、入力される映像信号に、予め定める処理を施す複数の映像信号処理手段と、各前記映像信号処理手段に電力を供給する電力供給手段と、各前記映像信号処理手段および前記電力供給手段を制御する制御手段と、各前記映像信号処理手段を冷却する冷却手段とを備え、各前記映像信号処理手段は、少なくとも１フレーム分の映像データの書込みおよび読出しが可能な記憶手段と、入力される映像信号を、前記記憶手段に書込み可能な映像データに変換する入力手段と、前記入力手段によって変換された映像データを前記記憶手段に書込む書込手段と、前記記憶手段に書込まれた映像データを前記記憶手段から読出す読出手段と、前記読出手段によって前記記憶手段から読出された映像データを、外部の装置に出力可能な出力手段とを備え、前記電力供給手段は、前記記憶手段、前記入力手段、前記書込手段、前記読出手段および前記出力手段にそれぞれ電力を供給可能に構成され、前記制御手段は、各前記映像信号処理手段の動作モードを、（ａ）前記入力手段、前記書込手段、前記読出手段および前記出力手段が動作する通常モードと、（ｂ）前記入力手段および前記書込手段の動作が停止され、前記読出手段および前記出力手段が動作する省電力モードとの間で切換え可能に構成され、前記電力供給手段は、前記冷却手段に電力を供給する機能を有し、複数の前記映像信号処理手段は、前記動作モードを個別に切換可能であり、前記制御手段は、各前記映像信号処理手段の動作モードに応じて、前記冷却手段の動作を制御することを特徴とする。
また本発明の映像信号処理装置は、入力される映像信号に、予め定める処理を施す映像信号処理手段と、前記映像信号処理手段に電力を供給する電力供給手段と、前記映像信号処理手段および前記電力供給手段を制御する制御手段と、前記映像信号処理手段を冷却する冷却手段とを備え、少なくとも１つの前記映像信号処理手段を含み、入力される映像信号を一定の映像信号に変換して出力する映像入力手段と、少なくとも１つの前記映像信号処理手段を含み、前記一定の映像信号を、予め定められる映像フォーマットの映像信号を出力する映像出力手段と、前記映像入力手段から出力される前記一定の映像信号を切換または分配して、前記映像出力手段に出力するスイッチ手段とを備え、前記映像信号処理手段は、少なくとも１フレーム分の映像データの書込みおよび読出しが可能な記憶手段と、入力される映像信号を、前記記憶手段に書込み可能な映像データに変換する入力手段と、前記入力手段によって変換された映像データを前記記憶手段に書込む書込手段と、前記記憶手段に書込まれた映像データを前記記憶手段から読出す読出手段と、前記読出手段によって前記記憶手段から読出された映像データを、外部の装置に出力可能な出力手段とを備え、前記電力供給手段は、前記記憶手段、前記入力手段、前記書込手段、前記読出手段および前記出力手段にそれぞれ電力を供給可能に構成され、前記冷却手段に電力を供給する機能を有し、前記制御手段は、前記映像信号処理手段の動作モードを、（ａ）前記入力手段、前記書込手段、前記読出手段および前記出力手段が動作する通常モードと、（ｂ）前記入力手段および前記書込手段の動作が停止され、前記読出手段および前記出力手段が動作する省電力モードとの間で切換え可能に構成され、前記映像入力手段および前記映像出力手段に含まれる前記映像信号処理手段を個別に制御可能であり、各前記映像信号処理手段の動作モードに応じて、前記冷却手段の動作を制御することを特徴とする。
【発明の効果】
【００１６】
本発明の映像信号処理装置によれば、各映像信号処理手段の動作モードは、制御手段によって、通常モードと省電力モードとの間で切換えられる。たとえば、入力手段に入力される映像信号が、頻繁に更新する必要がない映像を表す場合、映像信号処理手段は、省電力モードに切換えられる。省電力モードでは、入力手段および書込手段の動作が停止されるので、電力供給手段から入力手段および書込手段に供給される電力を低減することができる。したがって、消費電力を可及的に抑制することができる。
【００１７】
また記憶手段には、少なくとも１フレーム分の映像データが書き込まれているので、この記憶手段に書込まれている映像データを、出力手段によって出力される映像データとして用いることができる。したがって、たとえば、出力手段から出力される映像データを用いて映像表示装置に映像が表示される場合、使用者にとって違和感がない映像を映像表示装置に表示させることができる。
また省電力モードでは、入力手段および書込手段の動作が停止されるので、映像信号処理手段の発熱量は、通常モードのときと比較して少なくなる。これによって、映像信号処理手段に供給する電力を低減するとともに、冷却手段に供給する電力を低減することができる。したがって、映像信号処理装置の消費電力を可及的に抑制することができる。
また各映像信号処理手段の動作モードを通常モードから省電力モードに切換えることができ、かつ映像信号処理装置内の冷却機能も過剰ではなく必要最小限に抑えることができる。これによって、消費電力を効果的に低減することができる。したがって、映像信号処理装置の消費電力を可及的に抑制することができる。
【図面の簡単な説明】
【００１８】
【図１】本発明の第１の実施の形態の映像信号処理装置１の構成を示すブロック図である。
【図２】本発明の第１の実施の形態の映像信号処理装置１において、通常モードの場合に、入力映像信号（ＩＩＳ）が入力されてから出力映像信号（ＯＩＳ）が出力されるまでの入力部１２およびフレームメモリ部１３の動作状態および信号の状態を示す図である。
【図３】本発明の第１の実施の形態の映像信号処理装置１において、通常モードの場合に、入力映像信号（ＩＩＳ）が入力されてから出力映像信号（ＯＩＳ）が出力されるまでの入力部１２およびフレームメモリ部１３の動作状態および信号の状態を示す図である。
【図４】本発明の第１の実施の形態の映像信号処理装置１において、通常モードから省電力モードに切換えられる場合に、入力映像信号（ＩＩＳ）が入力されてから出力映像信号（ＯＩＳ）が出力されるまでの入力部１２およびフレームメモリ部１３の動作状態および信号の状態を示す図である。
【図５】本発明の第１の実施の形態の映像信号処理装置１において、通常モードから省電力モードに切換えられる場合に、入力映像信号（ＩＩＳ）が入力されてから出力映像信号（ＯＩＳ）が出力されるまでの入力部１２およびフレームメモリ部１３の動作状態および信号の状態を示す図である。
【図６】本発明の第２の実施の形態の映像信号処理装置１において、通常モードから省電力モードに切換えられる場合に、入力映像信号（ＩＩＳ）が入力されてから出力映像信号（ＯＩＳ）が出力されるまでの入力部１２およびフレームメモリ部１３の動作状態および信号の状態を示す図である。
【図７】本発明の第２の実施の形態の映像信号処理装置１において、通常モードから省電力モードに切換えられる場合に、入力映像信号（ＩＩＳ）が入力されてから出力映像信号（ＯＩＳ）が出力されるまでの入力部１２およびフレームメモリ部１３の動作状態および信号の状態を示す図である。
【図８】本発明の第３の実施の形態の映像信号処理装置２の構成を示すブロック図である。
【図９】本発明の第４の実施の形態の映像信号処理装置３の構成を示すブロック図である。
【図１０】本発明の第５の実施の形態の映像信号処理装置４の構成を示すブロック図である。
【図１１】映像入力ボード７１の構成を示すブロック図である。
【図１２】映像出力ボード７４の構成を示すブロック図である。
【図１３】本発明の第５の実施の形態における映像信号処理装置４の通常モードのときの動作を説明するための図である。
【図１４】本発明の第５の実施の形態における映像信号処理装置４の省電力モードのときの動作を説明するための図である。
【図１５】本発明の第６の実施の形態の映像信号処理装置５を示すブロック図である。
【図１６】本発明の第６の実施の形態における映像信号処理装置５の動作を説明するための図である。
【図１７】本発明の第６の実施の形態における映像信号処理装置５の省電力モードのときの動作を説明するための図である。
【発明を実施するための形態】
【００１９】
＜第１の実施の形態＞
図１は、本発明の第１の実施の形態の映像信号処理装置１の構成を示すブロック図である。映像信号処理装置１は、映像信号処理部１０、統括制御部１１、電源部１６および操作部１７を備えて構成される。映像信号処理部１０は、入力部１２、フレームメモリ部１３、変換部１４および出力部１５を備える。映像信号処理部１０は、映像信号処理手段に相当する。電源部１６は、処理部用電源２０を備える。処理部用電源２０は、入力部用電源２１、変換部用電源２２、メモリ部用電源２３および出力部用電源２４を備える。処理部用電源２０は、電力供給手段に相当する。
【００２０】
入力部１２は、本実施の形態ではアナログデジタル変換回路（Analog-to-Digital Converter；略称：ＡＤコンバータ）によって実現される。入力部１２は、電源部１６の入力部用電源２１から電力が供給されることによって動作する。入力部１２は、映像信号処理装置１の外部から入力されるアナログの映像信号である入力映像信号（以下「ＩＩＳ」という場合がある）を、対応するデジタルデータに変換するアナログデジタル（略称：Ａ／Ｄ）変換処理を行う。
【００２１】
入力部１２には、たとえばパーソナルコンピュータ（Personal Computer；略称：パソコン）のビデオカードなどから、アナログの映像信号である入力映像信号（ＩＩＳ）が入力される。本実施の形態では、入力部１２は、入力映像信号（ＩＩＳ）を、赤色（Red；略称：Ｒ）データ、緑色（Green；略称：Ｇ）データおよび青色（Blue；略称：Ｂ）データで構成されるＷ−ＲＧＢデータに変換して出力する。Ｒデータ、ＢデータおよびＧデータは、それぞれ８ビットのデジタルデータである。
【００２２】
また入力部１２は、前記Ｗ−ＲＧＢデータに同期した水平同期信号および垂直同期信号を、フレームメモリ部１３へのＷ−ＲＧＢデータの書込みタイミングの基準となる書込み用水平同期信号（以下「Ｗ−Ｈｓｙｎｃ」という場合がある）および書込み用垂直同期信号（以下「Ｗ−Ｖｓｙｎｃ」という場合がある）として出力する。入力部１２は、出力したＷ−ＲＧＢデータ、Ｗ−ＨｓｙｎｃおよびＷ−Ｖｓｙｎｃを変換部１４に与える。入力部１２は、入力手段に相当する。
【００２３】
フレームメモリ部１３は、本実施の形態ではＲＡＭ（Random Access Memory）によって実現される。フレームメモリ部１３は、電源部１６のメモリ部用電源２３から電力が供給されることによって動作する。フレームメモリ部１３は、入力部１２から与えられるＷ−ＲＧＢデータを、１フレーム単位で、少なくとも１フレーム以上を記憶する。フレームメモリ部１３は、記憶手段に相当する。
【００２４】
変換部１４は、電源部１６の変換部用電源２２から電力が供給されることによって動作する。変換部１４は、種々の解像度および周波数の入力映像信号（ＩＩＳ）が入力部１２に入力されることを想定して設けられている。
【００２５】
変換部１４は、フレームメモリ部１３にＷ−ＲＧＢデータの書込み（Write）を指示する書込み制御（以下「Ｗ制御」という場合がある）信号を与えることによって、フレームメモリ部１３へのＷ−ＲＧＢデータの書込み動作を制御する。変換部１４は、フレームメモリ部１３にＷ−ＲＧＢデータの読出し（Read）を指示する読出し制御（以下「Ｒ制御」という場合がある）信号を与えることによって、フレームメモリ部１３からのＷ−ＲＧＢデータの読出し動作を制御する。
【００２６】
変換部１４は、フレームメモリ部１３からのＷ−ＲＧＢデータの読出しタイミングの基準となる読出し用水平同期信号（以下「Ｒ−Ｈｓｙｎｃ」という場合がある）と、読出し用垂直同期信号（以下「Ｒ−Ｖｓｙｎｃ」という場合がある）とを生成する。変換部１４は、入力される映像信号の解像度および周波数に関わらず、常にＲ−ＨｓｙｎｃとＲ−Ｖｓｙｎｃとを生成する。
【００２７】
Ｒ−ＨｓｙｎｃおよびＲ−Ｖｓｙｎｃは、映像信号処理装置１からの映像信号の出力タイミング、具体的には、後述する出力部１５からの映像信号の出力タイミングの基準となる。Ｒ−Ｈｓｙｎｃは、たとえば７４ｋＨｚの周期で生成される。Ｒ−Ｖｓｙｎｃは、たとえば６０Ｈｚの周期で生成される。
【００２８】
変換部１４は、入力部１２から与えられるＷ−Ｖｓｙｎｃを基準にして、前記Ｗ−ＲＧＢデータを１フレーム単位で、フレームメモリ部１３に書込む。書込まれたＷ−ＲＧＢデータは、Ｒ−Ｖｓｙｎｃを基準にして、１フレーム単位で変換部１４によって読出され、フレームレート変換が行われる。フレームレート変換は、映像信号処理装置１の出力周波数になるように行われる。以下では、変換部１４とフレームメモリ部１３との間で取扱われるＷ−ＲＧＢデータを、「メモリＲＧＢデータ」という場合がある。
【００２９】
フレームレート変換が行われたＷ−ＲＧＢデータは、変換部１４によって、映像信号処理装置１の出力解像度に対応するＲＧＢデータ（以下「Ｒ−ＲＧＢデータ」という場合がある）に変換され、Ｒ−ＶｓｙｎｃおよびＲ−Ｈｓｙｎｃとともに、出力部１５に与えられる。このように変換部１４は、フレームメモリ部１３から読出したＷ−ＲＧＢデータを、映像信号処理装置１の出力解像度および出力周波数に対応するＲ−ＲＧＢデータに変換して、Ｒ−ＶｓｙｎｃおよびＲ−Ｈｓｙｎｃとともに、出力部１５に与える。
【００３０】
映像信号処理装置１の出力解像度は、具体的には出力部１５から出力される映像信号の解像度であり、たとえば「１９２０×１２００」である。映像信号処理装置１の出力周波数は、具体的には出力部１５から出力される映像信号の周波数であり、たとえば６０Ｈｚである。変換部１４は、たとえば、解像度が「１９２０×１２００」であり、周波数が６０ＨｚであるＲ−ＲＧＢデータに変換して出力する。
【００３１】
Ｒ−ＲＧＢデータは、映像信号処理装置１の出力解像度および出力周波数に対応するＲデータ、ＧデータおよびＢデータで構成される。Ｒデータ、ＧデータおよびＢデータは、それぞれ、たとえば８ビットのデジタルデータである。
【００３２】
変換部１４は、前述のＲ−Ｈｓｙｎｃとして、前記Ｒ−ＲＧＢデータに同期した水平同期信号を出力する。また変換部１４は、前述のＲ−Ｖｓｙｎｃとして、前記Ｒ−ＲＧＢデータに同期した垂直同期信号を出力する。
【００３３】
たとえば、入力映像信号（ＩＩＳ）の解像度が「１０２４×７６８」であり、周波数が８０Ｈｚである場合、変換部１４は、出力周波数が６０Ｈｚになるようにフレームレート変換を行った後、解像度が「１９２０×１２００」のＲ−ＲＧＢデータに拡大して出力する。
【００３４】
変換部１４が出力する映像データの解像度および出力タイミングは、統括制御部１１からの制御指令によって変更可能である。変換部１４は、出力したＲ−ＲＧＢデータ、Ｒ−ＨｓｙｎｃおよびＲ−Ｖｓｙｎｃを出力部１５に与える。変換部１４は、書込手段および読出手段に相当する。
【００３５】
出力部１５は、本実施の形態ではデジタルビジュアルインタフェース（Digital Visual Interface；略称：ＤＶＩ）トランスミッタによって実現される。ＤＶＩは、映像データのインタフェースの規格の１つである。出力部１５は、変換部１４から与えられる映像データを、予め定める映像フォーマット（以下、単に「フォーマット」という場合がある）の映像信号、たとえばＤＶＩ信号に変換して出力する。ＤＶＩ信号は、ＤＶＩに準拠した映像信号である。
【００３６】
出力部１５から出力される映像信号である出力映像信号（以下「ＯＩＳ」という場合がある）は、映像信号処理装置１の外部の装置、たとえば液晶ディスプレイまたはプロジェクタなどの映像表示装置に与えられる。映像表示装置は、出力部１５から与えられた出力映像信号が表す映像を表示する。出力部１５は、出力手段に相当する。
【００３７】
統括制御部１１は、本実施の形態ではマイクロコンピュータ（略称：マイコン）などの処理回路によって実現される。統括制御部１１は、映像信号処理装置１を構成する入力部１２および変換部１４を含むハードウェア資源を統括的に制御する。統括制御部１１は、制御手段に相当する。
【００３８】
入力部用電源２１は、入力部１２の動作に必要な電力を入力部１２に供給する。変換部用電源２２は、変換部１４の動作に必要な電力を変換部１４に供給する。メモリ部用電源２３は、フレームメモリ部１３の動作に必要な電力をフレームメモリ部１３に供給する。出力部用電源２４は、出力部１５の動作に必要な電力を出力部１５に供給する。
【００３９】
操作部１７は、たとえば映像信号処理装置１の操作パネルに設けられる切換スイッチによって実現される。操作部１７は、使用者が数字情報、文字情報および映像信号処理装置１への指示情報などの情報を入力するときに、使用者によって操作される。使用者によって映像信号処理装置１が操作されると、映像信号処理装置１は、使用者の操作に応じた情報を表す制御信号（以下「ＣＳ」という場合がある）を生成して、統括制御部１１に与える。したがって映像信号処理装置１の使用者は、操作部１７を操作することによって、その操作に応じた情報を統括制御部１１に与えることができる。
【００４０】
映像信号処理装置１は、動作モードを切換え可能に構成される。動作モードは、通常モードと省電力モードとを含む。通常モードは、映像信号処理部１０を構成する入力部１２、フレームメモリ部１３、変換部１４および出力部１５の全てが動作する動作モードである。省電力モードは、映像信号処理部１０を構成する入力部１２、フレームメモリ部１３、変換部１４および出力部１５のいずれかの動作が停止され、残りが動作する動作モードである。本実施の形態では、省電力モードにおいて、入力部１２の動作、および変換部１４によるフレームメモリ部１３への書込み動作が停止される。
【００４１】
操作部１７は、たとえば映像信号処理装置１の動作モードである通常モードおよび省電力モードのいずれか一方のモードに切換える制御信号（ＣＳ）を統括制御部１１に与える。統括制御部１１は、操作部１７から与えられる制御信号に従って、通常モードまたは省電力モードで動作するように、映像信号処理部１０および電源部２０を制御する。
【００４２】
たとえば、映像信号処理装置１の動作モードが通常モードであるときに、使用者によって操作部１７が操作され、省電力モードに切換える指示が入力されると、動作モードを通常モードから省電力モードに切換える切換指令を表す制御信号（以下「切換制御信号」という場合がある）が操作部１７から統括制御部１１に与えられる。統括制御部１１は、操作部１７から与えられる切換制御信号に基づいて、動作モードを通常モードから省電力モードに切換えて、省電力モードになるように映像信号処理部１０の動作を制御する。具体的には、統括制御部１１は、入力部１２の動作、および変換部１４によるフレームメモリ部１３への書込み動作を停止するように、入力部１２および変換部１４を制御する。
【００４３】
図２および図３は、本発明の第１の実施の形態の映像信号処理装置１において、通常モードの場合に、入力映像信号（ＩＩＳ）が入力されてから出力映像信号（ＯＩＳ）が出力されるまでの入力部１２およびフレームメモリ部１３の動作状態および信号の状態を示す図である。図２および図３では、周波数、およびフレームメモリ部１３に書込まれた時点から読出されるまでの遅延量などは、理解を容易にするために図示を省略している。
【００４４】
図２および図３では、理解を容易にするために、フレーム番号「ｎ−１」、「ｎ」および「ｎ＋１」のＩＩＳが入力される期間を重複して記載しているが、実際には、ＩＩＳは、フレーム番号「０」、「１」、「２」、…、「ｎ−２」、「ｎ−１」、「ｎ」、「ｎ＋１」、「ｎ＋２」、…、「ｍ−２」、…の順に入力される。ここで、ｎおよびｍは、０以上の整数である。
【００４５】
入力部１２は、常に動作状態である。入力部１２は、外部から入力されるアナログ映像信号である入力映像信号（ＩＩＳ）をデジタルデータに変換し、得られたＷ−ＲＧＢデータおよびＷ−Ｖｓｙｎｃを変換部１４に与える。図２および図３では図示を省略しているが、入力部１２は、Ｗ−ＲＧＢデータおよびＷ−Ｖｓｙｎｃとともに、Ｗ−Ｈｓｙｎｃを常に変換部１４に与えている。
【００４６】
変換部１４は、入力部１２から与えられたＷ−ＲＧＢデータのフレームメモリ部１３への書込み動作と、Ｗ−ＲＧＢデータのフレームメモリ部１３からの読出し動作とを常に行う。したがって、フレームメモリ部１３の書込み状態および読出し状態は、動作状態である。
【００４７】
変換部１４は、Ｒ−Ｖｓｙｎｃを生成し、生成したＲ−Ｖｓｙｎｃを基準として、フレームメモリ部１３からＲ−ＲＧＢデータを読出す。変換部１４は、読出したＲ−ＲＧＢデータと、生成したＲ−Ｖｓｙｎｃとを出力部１５に与える。図２および図３では図示を省略しているが、変換部１４は、Ｒ−ＲＧＢデータおよびＲ−Ｖｓｙｎｃとともに、Ｒ−Ｈｓｙｎｃを常に出力部１５に与えている。
【００４８】
図１に戻って、省電力モード時の動作について説明する。映像信号処理装置１に入力される入力映像信号（ＩＩＳ）が、たとえば広告などの静止画像を表す映像信号である場合は、たとえば使用者が操作部１７を操作することによって、映像信号処理装置１の動作モードを通常モードから省電力モードに切換える指示を表す切換制御信号が統括制御部１１に与えられる。統括制御部１１は、切換制御信号に基づいて、入力部１２の動作を停止させる。
【００４９】
入力部１２は、統括制御部１１から、省電力モードを解除して通常モードに戻る指示を表す省電力解除信号が与えられない限り、動作を停止する。具体的には、入力部１２は、入力映像信号（ＩＩＳ）に対するＡ／Ｄ変換処理動作、およびＡ／Ｄ変換処理後のデータの変換部１４への出力動作を停止する。したがって、省電力モード時の入力部１２の消費電力は、ほぼゼロとなる。
【００５０】
また省電力モード時において、統括制御部１１は、変換部１４によるＷ−ＲＧＢデータのフレームメモリ部１３への書込み動作を停止させる。この場合、統括制御部１１は、省電力モードに切換える切換制御信号を受信する直前にフレームメモリ部１３に書込まれたＷ−ＲＧＢデータを、Ｒ−Ｖｓｙｎｃ毎に１フレーム単位で繰返しフレームメモリ部１３から読出すように、変換部１４を制御する。
【００５１】
図４および図５は、本発明の第１の実施の形態の映像信号処理装置１において、通常モードから省電力モードに切換えられる場合に、入力映像信号（ＩＩＳ）が入力されてから出力映像信号（ＯＩＳ）が出力されるまでの入力部１２およびフレームメモリ部１３の動作状態および信号の状態を示す図である。図４および図５では、周波数、およびフレームメモリ部１３に書込まれた時点から読出されるまでの遅延量などは、理解を容易にするために、図示を省略している。図４および図５では、理解を容易にするために、フレーム番号「ｎ−１」、「ｎ」および「ｎ＋１」のＩＩＳが入力される期間を重複して記載しているが、実際には、ＩＩＳは、フレーム番号「０」、「１」、「２」、…、「ｎ−２」、「ｎ−１」、「ｎ」、「ｎ＋１」、「ｎ＋２」、…、「ｍ−２」、…の順に入力される。ここで、ｎおよびｍは、それぞれ、０以上の整数である。
【００５２】
通常モード（以下「ＮＭ」という場合がある）においては、入力部１２の動作、および変換部１４によるフレームメモリ部１３へのＷ−ＲＧＢデータの書込み動作が行われている。
【００５３】
たとえば、時刻ｔ１において、使用者の操作によって、省電力モード（以下「ＰＳＭ」という場合がある）に切換える切換制御信号が統括制御部１１に与えられると、統括制御部１１は、入力部１２の動作、および変換部１４によるフレームメモリ部１３へのＷ−ＲＧＢデータの書込み動作を停止させる。したがって、時刻ｔ１以降、すなわちフレーム番号「３」のＩＩＳが入力される時刻以降では、入力部１２の動作、および変換部１４によるフレームメモリ部１３へのＷ−ＲＧＢデータの書込み動作は、ともに停止状態となる。
【００５４】
省電力モードでは、統括制御部１１は、省電力モードに切換える切換制御信号を受信する直前にフレームメモリ部１３に書込まれたＷ−ＲＧＢデータを、Ｒ−Ｖｓｙｎｃ毎に１フレーム単位で繰返しフレームメモリ部１３から読出すように、変換部１４を制御する。図４および図５に示す例では、フレーム番号「２」の映像データであるＷ−ＲＧＢデータが、フレーム単位で常に読出され、ＯＩＳとして出力される。したがって、出力部１５から映像信号が与えられる映像表示装置では、フレーム番号「２」の映像信号が表す映像が、常に表示されることとなるので、使用者は、違和感なく、映像表示装置に表示される映像を見ることができる。
【００５５】
以上のように制御することによって、入力部１２の動作は停止される。これによって、電源部１６の入力部用電源２１から入力部１２に供給される電力を大幅に低減することができる。
【００５６】
また省電力モードでは、変換部１４によるフレームメモリ部１３への書込み動作は停止される。これによって、メモリ部用電源２３からフレームメモリ部１３に供給される電力、および変換部用電源２２から変換部１４に供給される電力を、大幅に低減することができる。
【００５７】
このように、電源部１６から映像信号処理部１０に供給する電力を大幅に低減することができるので、映像信号処理装置１全体が消費する電力を低減することができる。
【００５８】
以上のように本実施の形態の映像信号処理装置１によれば、たとえば、静止画像など、頻繁に表示内容を更新する必要がない映像を表す映像信号が入力される場合には、通常モードから省電力モードに切換えられる。省電力モードでは、入力部１２の動作、および変換部１４によるフレームメモリ部１３への書込み動作が停止される。これによって、映像信号処理装置１で無駄に消費される電力を低減することができる。したがって、映像信号処理装置１の消費電力を可及的に抑制することができる。
【００５９】
また省電力モードでは、省電力モードに切換えられる直前にフレームメモリ部１３に書込まれた映像データが読出され、出力部１５から、たとえば映像表示装置に出力される。したがって、使用者にとって違和感がない映像を映像表示装置に表示させることができる。
【００６０】
以上に述べた本実施の形態では、入力映像信号（ＩＩＳ）として、ＲＧＢのアナログ映像信号が入力される場合について説明したが、これに限定されない。たとえば、ＩＩＳとして、輝度信号Ｙと色差信号Ｃｂ，ＣｒとからなるＹＣｂＣｒ信号、ＤＶＩ信号、またはＳＥＲＤＥＳ（Serializer Desirializer）信号などの高速シリアル信号が入力される場合に適用してもよい。この場合でも、本実施の形態と同様の効果を得ることができる。
【００６１】
また本実施の形態では、入力部１２は、ＡＤコンバータによって実現されるが、これに限定されない。入力部１２は、入力される映像信号の種類に合わせたデバイスであり、かつ統括制御部１１からの制御指令に従って、動作状態から停止状態への切換え動作を容易に行うことができるものであればよい。たとえば、入力部１２は、ＤＶＩレシーバによって実現されてもよい。
【００６２】
また本実施の形態では、映像信号処理装置１の出力解像度が「１９２０×１２００」であり、出力タイミングを表す出力周波数が６０Ｈｚである場合について説明したが、他の解像度および出力タイミングでもよい。
【００６３】
また本実施の形態では、出力部１２からＤＶＩ信号に変換して出力する一例について説明したが、出力部１２は、他の映像フォーマットの映像信号、たとえばアナログ映像信号、ＹＣｂＣｒ信号、またはＳＥＲＤＥＳ信号などを出力してもよい。この場合でも、本実施の形態と同様の効果を得ることができる。
【００６４】
また本実施の形態では、入力映像信号（ＩＩＳ）が、静止画像を表す映像信号である場合について説明したが、入力映像信号（ＩＩＳ）は、これに限定されるものではない。映像信号処理装置１の使用環境および用途によっては、動画など、映像表示装置の表示内容を頻繁に更新する必要がある映像の映像信号が入力映像信号（ＩＩＳ）として入力される場合でも、消費電力を低減することができる。
【００６５】
また本実施の形態では、通常モードから省電力モードへの切換え動作を、映像信号処理装置１に設けられた切換スイッチなどで行う場合の一例について説明したが、これに限定されない。たとえば、リモートコントローラ（以下「リモコン」という場合がある）またはパソコンなどの外部制御機器を用いて、通常モードから省電力モードへの切換え動作を行う場合でも、本実施の形態と同様の効果を得ることができる。
【００６６】
＜第２の実施の形態＞
次に、本発明の第２の実施の形態の映像信号処理装置について説明する。本実施の形態の映像信号処理装置は、前述の第１の実施の形態の映像信号処理装置１と構成が同一であるので、対応する部分には同一の参照符号を付して、共通する説明および図示を省略する。
【００６７】
前述の第１の実施の形態の映像信号処理装置１では、省電力モード時には、フレームメモリ部１３から、同じ映像信号をＲ−Ｖｓｙｎｃ毎に、１フレーム単位で繰返し読出すように構成されている。これに対し、本実施の形態の映像信号処理装置では、第１の実施の形態と同様のハードウェア構成で、統括制御部１１を予め次のようにプログラミングしておく。これによって、第１の実施の形態に比べて、さらに利便性を向上させることができる。
【００６８】
図６および図７は、本発明の第２の実施の形態の映像信号処理装置１において、通常モードから省電力モードに切換えられる場合に、入力映像信号（ＩＩＳ）が入力されてから出力映像信号（ＯＩＳ）が出力されるまでの入力部１２およびフレームメモリ部１３の動作状態および信号の状態を示す図である。図６および図７では、周波数、およびフレームメモリ部１３に書込まれた時点から、読出されるまでの遅延量などは、理解を容易にするために、図示を省略している。図６および図７では、理解を容易にするために、フレーム番号「ｎ−１」、「ｎ」および「ｎ＋１」のＩＩＳが入力される期間を重複して記載しているが、実際には、ＩＩＳは、フレーム番号「０」、「１」、「２」、…、「ｎ−２」、「ｎ−１」、「ｎ」、「ｎ＋１」、「ｎ＋２」、…、「ｍ−２」、…の順に入力される。ここで、ｎおよびｍは、それぞれ、０以上の整数である。
【００６９】
本実施の形態では、統括制御部１１は、図６および図７に示すように、省電力モード（ＰＳＭ）において、予め定めるサイクル（以下「更新間隔」という場合がある）Ｔ毎、たとえば１０分おきなどに、入力部１２の状態が「停止」、「動作」、「停止」と変化するように制御する。統括制御部１１は、変換部１４の書込み動作についても、入力部１２と連動して、「停止」、「動作」、「動作」と変化するように制御する。
【００７０】
このように制御することによって、入力映像信号（ＩＩＳ）から生成される映像データであるＷ−ＲＧＢデータが、更新間隔Ｔ毎、たとえば1０分おきにフレームメモリ部１３に書込まれ、Ｒ−Ｖｓｙｎｃ毎に、１フレーム単位で繰返し読出されることになる。これによって、一定期間Ｔ毎に、映像表示装置に出力される出力映像信号（ＯＩＳ）を更新して、映像表示装置に表示される映像を更新することができる。
【００７１】
たとえば、省電力モード（ＰＳＭ）に切換えられた時刻ｔ１から更新間隔Ｔが経過した時刻ｔ２、および時刻ｔ２から更新間隔Ｔが経過した時刻ｔ３において、出力映像信号（ＯＩＳ）を更新して、映像表示装置に表示される映像を更新することができる。
【００７２】
以上のように本実施の形態では、省電力モード時において、フレームメモリ部１３への映像データであるＷ−ＲＧＢデータの書込み動作が定期的に行われるので、映像表示装置に出力される出力映像信号（ＯＩＳ）が定期的に更新される。これによって、フレームメモリ部１３への書込み動作が常に行われる状態に比べて、消費電力を低減しつつ、映像表示装置に表示される映像を定期的に更新することができる。したがって、前述の第１の実施の形態に比べて、さらに利便性が向上された映像信号処理装置を実現することができる。
【００７３】
本実施の形態は、入力映像信号（ＩＩＳ）が動画を表す場合などのように、映像表示装置の表示内容を頻繁に更新する必要がある場合に特に効果的である。たとえば、更新間隔Ｔを１秒にする、すなわち１秒毎に更新するように構成することによって、映像表示装置の表示内容を更新させながら、映像信号処理装置の消費電力を低減することができる。
【００７４】
以上に述べた本実施の形態では、一定期間の更新を、予めプログラミングされた統括制御部１１の制御によって行う場合について説明したが、これに限定されるものではない。たとえば、パソコンなどで構成される操作部１７によって、更新命令を繰返し入力するような構成にしてもよい。この場合でも、本実施の形態と同様の効果を得ることができる。
【００７５】
また本実施の形態では、更新間隔Ｔが１０分間の場合を一例として説明したが、これに限定されるものではなく、任意の間隔で、本実施の形態と同様の効果を得ることができる。また、夜間など、使用者があまり映像を見ることがないような時間帯は、更新間隔Ｔを長くし、昼間など、使用者が映像を頻繁に見るような時間帯は、通常モードにするか、または更新間隔Ｔを短くするなど、映像信号処理装置１の使用環境および用途に応じて、適宜組み合わせて使用することも可能である。
【００７６】
＜第３の実施の形態＞
図８は、本発明の第３の実施の形態の映像信号処理装置２の構成を示すブロック図である。本実施の形態の映像信号処理装置２は、前述の第１および第２の実施の形態の映像信号処理装置１と構成が類似しているので、異なる部分について説明し、対応する部分には同一の参照符号を付して、共通する説明を省略する。
【００７７】
本実施の形態では、映像信号処理装置２は、映像信号処理部１０、統括制御部１１、操作部１７、電源部３０、ファン３２およびファン速度制御部３３を備えて構成される。映像信号処理部１０は、前述の第１および第２の実施の形態の映像信号処理装置１における映像信号処理部１０と同一の構成である。図８では図示を省略するが、映像信号処理部１０は、前述の図１に示す入力部１２、フレームメモリ部１３、変換部１４および出力部１５を備える。映像信号処理部１０における入力部１２、フレームメモリ部１３、変換部１４および出力部１５の各処理は、前述の第１および第２の実施の形態と同様の処理である。
【００７８】
電源部３０は、処理部用電源２０およびファン用電源３１を備える。処理部用電源２０は、前述の第１および第２の実施の形態の映像信号処理装置１における電源部１６の処理部用電源２０と同一の構成である。図８では図示を省略するが、処理部用電源２０は、前述の図１に示す入力部用電源２１、変換部用電源２２、メモリ部用電源２３および出力部用電源２４を備える。
【００７９】
ファン用電源３１は、ファン速度制御部３３の動作に必要な電力をファン速度制御部３３に供給する。ファン用電源３１は、電力供給手段に相当する。ファン３２は、映像信号処理部１０に風を送ることによって、映像信号処理部１０を冷却する。ファン３２は、冷却手段に相当する。ファン速度制御部３３は、ファン用電源３１から電力が供給されることによって動作する。ファン速度制御部３３は、ファン３２の回転動作に必要な電力をファン３２に供給し、電圧を変化させることによって、ファン３２の回転速度を制御する。
【００８０】
本実施の形態においても、前述の第１および第２の実施の形態と同様に、操作部１７が操作されることによって、統括制御部１１に、通常モードから省電力モードに切換える指示を表す制御信号（ＣＳ）である切換制御信号が与えられる。統括制御部１１は、切換制御信号に基づいて、映像信号処理部１０を通常モードから省電力モードに切換える。
【００８１】
このようにして映像信号処理部１０が省電力モードに切換えられると、入力部１２の動作が停止されるとともに、変換部１４によるフレームメモリ部１３への書込み動作が停止される。これによって、映像信号処理部１０の発熱量は、通常モードのときと比較して少なくなるので、映像信号処理部１０を冷却するためのファン３２からの風量を、通常モードのときよりも少なくすることができる。
【００８２】
したがって、統括制御部１１は、ファン３２の回転速度を、通常モードのときよりも低くするように、ファン速度制御部３３を制御することができるので、ファン速度制御部３３からファン３２に供給する電力を低減することができる。
【００８３】
以上のように本実施の形態の映像信号処理装置２によれば、省電力モードでは、入力部１２の動作、および変換部１４によるフレームメモリ部１３への書込み動作が停止されるので、映像信号処理部１０に供給する電力を低減するとともに、ファン速度制御部３３からファン３２に供給する電力を低減することができる。したがって、映像信号処理装置２の消費電力を可及的に抑制することができる。また、ファン３２の回転速度を低くすることができるので、ファン３２に加わる負荷を軽減することができ、ファン３２の長寿命化を図ることができる。
【００８４】
本実施の形態では、映像信号処理部１０の冷却をファン３２による空冷で行う場合について説明したが、これに限定されるものではなく、他の冷却方法を用いてもよい。他の冷却方法としては、たとえばペルチェ素子を用いて映像信号処理部１０を冷却するようにしてもよく、この場合でも、ファン３２を用いた場合と同様の効果を得ることができる。
【００８５】
＜第４の実施の形態＞
図９は、本発明の第４の実施の形態の映像信号処理装置３の構成を示すブロック図である。本実施の形態の映像信号処理装置３は、前述の第３の実施の形態の映像信号処理装置２と構成が類似しているので、異なる部分について説明し、対応する部分には同一の参照符号を付して、共通する説明を省略する。
【００８６】
映像信号処理装置３は、ファン３２、ファン速度制御部３３、映像信号処理部４０、統括制御部５０、操作部５１および電源部５２を備えて構成される。映像信号処理部４０は、前述の図１に示す第１の実施の形態の映像信号処理装置１における映像信号処理部１０と同一の構成の映像信号処理部１０を、複数のチャンネル分、本実施の形態では４つのチャンネル分備える。以下の説明では、４つのチャンネル分の映像信号処理部１０を、第１チャンネル（略称：ｃｈ）用処理部４１、第２ｃｈ用処理部４２、第３ｃｈ用処理部４３および第４ｃｈ用処理部４４という。
【００８７】
すなわち映像信号処理部４０は、第１ｃｈ用処理部４１、第２ｃｈ用処理部４２、第３ｃｈ用処理部４３および第４ｃｈ用処理部４４を備える。第１〜第４ｃｈ用処理部４１〜４４は、それぞれ、前述の第１の実施の形態の映像信号処理装置１における映像信号処理部１０と同一の構成であり、前述の図１に示す入力部１２、フレームメモリ部１３、変換部１４および出力部１５を備える。以下の説明において、第１〜第４ｃｈ用処理部４１〜４４を区別しないで示す場合には、単に処理部４１〜４４ということがある。
【００８８】
統括制御部５０は、映像信号処理装置３を構成する第１〜第４ｃｈ用処理部４１〜４４およびファン速度制御部３３を統括的に制御する。統括制御部５０は、映像信号処理部４０を構成する複数の処理部、すなわち第１〜第４ｃｈ用処理部４１〜４４をそれぞれ個別に制御することが可能である。
【００８９】
操作部５１は、映像信号処理部４０を構成する複数の処理部、すなわち第１〜第４ｃｈ用処理部４１〜４４をそれぞれ個別に、通常モードから省電力モードに切換え可能に構成される。
【００９０】
電源部５２は、ファン速度制御部用電源３１および処理部用電源６０を備える。処理部用電源６０は、第１処理部用電源６１、第２処理部用電源６２、第３処理部用電源６３および第４処理部用電源６４を備える。
【００９１】
第１処理部用電源６１は、第１ｃｈ用処理部４１の動作に必要な電力を第１ｃｈ用処理部４１に供給する。第２処理部用電源６２は、第２ｃｈ用処理部４２の動作に必要な電力を第２ｃｈ用処理部４２に供給する。第３処理部用電源６３は、第３ｃｈ用処理部４３の動作に必要な電力を第３ｃｈ用処理部４３に供給する。第４処理部用電源６４は、第４ｃｈ用処理部４４の動作に必要な電力を第４ｃｈ用処理部４４に供給する。
【００９２】
第１〜第４処理部用電源６１〜６４は、それぞれ、前述の第１の実施の形態の映像信号処理装置１における電源部１６の処理部用電源２０と同一の構成であり、前述の図１に示す入力部用電源２１、変換部用電源２２、メモリ部用電源２３および出力部用電源２４を備える。
【００９３】
操作部５１は、第１〜第４ｃｈ用処理部４１〜４４の通常モードから省電力モードへの切換え動作を、チャンネル毎に行うことが可能である。この切換え動作に従って、統括制御部５０は、第１〜第４ｃｈ用処理部４１〜４４をチャンネル毎に制御することができる。たとえば、以下に示すような組み合わせの制御を実行することができる。
【００９４】
第１〜第３ｃｈ用処理部４１〜４３が通常モードであり、第４ｃｈ用処理部４４が省電力モードである場合、または第１〜第４ｃｈ用処理部４１〜４４の全てが省電力モードである場合などである。
【００９５】
通常モードのチャンネルが多いほど、動作するデバイスの数は多くなるので、発熱量が増し、映像信号処理装置３内の温度が高くなる。逆に通常モードのチャンネルが少ないほど、映像信号処理装置３内の温度は低くなる。したがって、省電力モードとなる処理部４１〜４４の数が多いほど、冷却に必要なファン３２からの風量を少なくすることができるので、統括制御部５０は、ファン３２の回転速度を低くするように、ファン速度制御部３３を制御する。これによって、ファン速度制御部３３からファン３２に供給する電力を低減することができる。
【００９６】
以上のように本実施の形態の映像信号処理装置３によれば、入力映像信号（ＩＩＳ）が表す映像の内容によって、各チャンネルの処理部４１〜４４の動作モードを通常モードから省電力モードに切換えることができ、かつ映像信号処理装置３内の冷却機能も過剰ではなく必要最小限に抑えることができる。これによって、消費電力を効果的に低減することができる。したがって、映像信号処理装置３の消費電力を可及的に抑制することができる。また、前述の第３の実施の形態と同様に、ファン３２の回転速度を低くすることができるので、ファン３２に加わる負荷を軽減することができ、ファン３２の長寿命化を図ることができる。
【００９７】
以上に述べた本実施の形態では、複数のチャンネルの一例として、４つのチャンネルの場合について説明したが、必ずしも４つのチャンネルである必要はなく、任意のチャンネル数において、本実施の形態と同様の効果を得ることができる。
【００９８】
また本実施の形態では、ファン３２およびファン速度制御部３３は、それぞれ１個設けられているが、複数個ずつ設けられてもよい。
【００９９】
この場合、たとえば、あるファン３２のみ回転速度を低くし、残りのファン３２の回転速度はそのままにする、というように、映像信号処理装置３内における第１〜第４ｃｈ用処理部４１〜４４の配置に応じて、ファン３２の回転速度を制御してもよい。これによって、各処理部４１〜４４を効果的に冷却することができるので、映像信号処理装置３の動作を安定させつつ、消費電力を低減することができる。
【０１００】
また本実施の形態では、第３の実施の形態と同様に、ファン３２による空冷ではなく、他の冷却方法、たとえばペルチェ素子などによる冷却方法を用いてもよい。この場合でも、本実施の形態と同様の効果を得ることができる。
【０１０１】
＜第５の実施の形態＞
図１０は、本発明の第５の実施の形態の映像信号処理装置４の構成を示すブロック図である。本実施の形態の映像信号処理装置４は、前述の第３の実施の形態の映像信号処理装置２と構成が類似しているので、異なる部分について説明し、対応する部分には同一の参照符号を付して、共通する説明を省略する。
【０１０２】
本実施の形態では、映像信号処理装置４は、ファン３２、ファン速度制御部３３、入力ボード部７０、マトリクススイッチ７２、出力ボード部７３、統括制御部７５、操作部７６および電源部７７を備えて構成される。
【０１０３】
入力ボード部７０は、複数の映像入力ボード７１を備える。入力ボード部７０は、映像入力手段に相当する。以下の説明では、複数の映像入力ボード７１を、第１映像入力ボード７１、…、第ｊ（ｊは自然数）映像入力ボード７１という。出力ボード部７３は、複数の映像出力ボード７４を備える。出力ボード部７３は、映像出力手段に相当する。以下の説明では、複数の映像出力ボード７４を、第１映像出力ボード７４、…、第ｋ（ｋは自然数）映像出力ボード７４という。
【０１０４】
このように本実施の形態の映像信号処理装置４は、映像入力ボード７１および映像出力ボード７４をそれぞれ複数枚装着可能に構成されている。
【０１０５】
図１１は、映像入力ボード７１の構成を示すブロック図である。映像入力ボード７１は、前述の第３の実施の形態における各処理部４１〜４４と同一の構成の映像信号処理部、すなわち前述の図１に示す第１の実施の形態における映像信号処理部１０を、複数のチャンネル分、本実施の形態では４つのチャンネル分備える。
【０１０６】
映像入力ボード７１は、前述の第３の実施の形態と同様の第１〜第４ｃｈ用処理部４１〜４４と、各処理部４１〜４４に対応する入力端子８１〜８４および出力端子８５〜８８とを備える。入力端子８１〜８４は、チャンネルの個数分、本実施の形態では４つが設けられる。出力端子８５〜８８は、チャンネルの個数分、本実施の形態では４つが設けられる。
【０１０７】
以下の説明では、４つの入力端子８１〜８４を、各チャンネルに対応させて、第１ｃｈ用入力端子８１、第２ｃｈ用入力端子８２、第３ｃｈ用入力端子８３、第４ｃｈ用入力端子８４という。また４つの出力端子８５〜８８を、各チャンネルに対応させて、第１ｃｈ用出力端子８５、第２ｃｈ用出力端子８６、第３ｃｈ用出力端子８７、第４ｃｈ用出力端子８８という。
【０１０８】
第１ｃｈ用入力端子８１に入力された映像信号は、第１ｃｈ用処理部４１で処理される。第１ｃｈ用処理部４１で処理された映像信号は、第１ｃｈ用出力端子８５から出力される。第２ｃｈ用入力端子８２に入力された映像信号は、第２ｃｈ用処理部４２で処理される。第２ｃｈ用処理部４２で処理された映像信号は、第２ｃｈ用出力端子８６から出力される。
【０１０９】
第３ｃｈ用入力端子８３に入力された映像信号は、第３ｃｈ用処理部４３で処理される。第３ｃｈ用処理部４３で処理された映像信号は、第３ｃｈ用出力端子８７から出力される。第４ｃｈ用入力端子８４に入力された映像信号は、第４ｃｈ用処理部４４で処理される。第４ｃｈ用処理部４４で処理された映像信号は、第４ｃｈ用出力端子８８から出力される。
【０１１０】
図１２は、映像出力ボード７４の構成を示すブロック図である。映像出力ボード７４は、映像入力ボード７１と同様の構成である。映像出力ボード７１は、前述の第３の実施の形態における各処理部４１〜４４と同一の構成の映像信号処理部、すなわち前述の図１に示す第１の実施の形態における映像信号処理部１０を、複数のチャンネル分、本実施の形態では４つのチャンネル分備える。
【０１１１】
映像出力ボード７４は、前述の第３の実施の形態と同様の第１〜第４ｃｈ用処理部４１〜４４と、各処理部４１〜４４に対応する入力端子９１〜９４および出力端子９５〜９８とを備える。入力端子９１〜９４は、チャンネルの個数分、本実施の形態では４つが設けられる。出力端子９５〜９８は、チャンネルの個数分、本実施の形態では４つが設けられる。
【０１１２】
以下の説明では、４つの入力端子９１〜９４を、各チャンネルに対応させて、第１ｃｈ用入力端子９１、第２ｃｈ用入力端子９２、第３ｃｈ用入力端子９３、第４ｃｈ用入力端子９４という。また４つの出力端子９５〜９８を、各チャンネルに対応させて、第１ｃｈ用出力端子９５、第２ｃｈ用出力端子９６、第３ｃｈ用出力端子９７、第４ｃｈ用出力端子９８という。
【０１１３】
第１ｃｈ用入力端子９１に入力された映像信号は、第１ｃｈ用処理部４１で処理される。第１ｃｈ用処理部４１で処理された映像信号は、第１ｃｈ用出力端子９５から出力される。第２ｃｈ用入力端子９２に入力された映像信号は、第２ｃｈ用処理部４２で処理される。第２ｃｈ用処理部４２で処理された映像信号は、第２ｃｈ用出力端子９６から出力される。
【０１１４】
第３ｃｈ用入力端子９３に入力された映像信号は、第３ｃｈ用処理部４３で処理される。第３ｃｈ用処理部４３で処理された映像信号は、第３ｃｈ用出力端子９７から出力される。第４ｃｈ用入力端子９４に入力された映像信号は、第４ｃｈ用処理部４４で処理される。第４ｃｈ用処理部４４で処理された映像信号は、第４ｃｈ用出力端子９８から出力される。
【０１１５】
図１０に戻って、マトリクススイッチ７２は、ｐ×ｑのマトリクススイッチである。ｐおよびｑは、それぞれ、１以上の整数である。ｐおよびｑの値は、入力ボード部７０に設けられる映像入力ボード７１の枚数と、各映像入力ボード７１におけるチャンネルの個数と、出力ボード部７０に設けられる映像出力ボード７４の枚数と、各映像出力ボード７４におけるチャンネルの個数とに基づいて定められる。マトリクススイッチ７２は、スイッチ手段に相当する。
【０１１６】
統括制御部７５は、映像信号処理装置４を構成するファン速度制御部３３、入力ボード部７０、マトリクススイッチ７２および出力ボード部７３を統括的に制御する。統括制御部７５は、入力ボード部７０を構成する複数の映像入力ボード７１、および出力ボード部７３を構成する複数の映像出力ボード７４を、それぞれ個別に制御することが可能である。
【０１１７】
操作部７６は、入力ボード部７０を構成する複数の映像入力ボード７１、および出力ボード部７３を構成する複数の映像出力ボード７４を、それぞれ個別に、通常モードから省電力モードに切換え可能に構成される。
【０１１８】
電源部７７は、ファン用電源３１、映像入力ボード用電源７８、マトリクススイッチ用電源７９および映像出力ボード用電源８０を備える。映像入力ボード用電源７８は、入力ボード部７０、具体的には入力ボード部７０を構成する各映像入力ボード７１の動作に必要な電力を各映像入力ボード７１に供給する。マトリクススイッチ用電源７９は、マトリクススイッチ７２の動作に必要な電力をマトリクススイッチ７２に供給する。映像出力ボード用電源８０は、出力ボード部７３、具体的には出力ボード部７３を構成する各映像出力ボード７４の動作に必要な電力を各映像出力ボード７４に供給する。
【０１１９】
図１３は、本発明の第５の実施の形態における映像信号処理装置４の通常モードのときの動作を説明するための図である。図１３では、一例として、本実施の形態の映像信号処理装置４において、入力ボード部７０が２枚の映像入力ボード７１（以下、「第１映像入力ボード７１Ａ」および「第２映像入力ボード７１Ｂ」という場合がある）を備え、出力ボード部７３が２枚の映像出力ボード７４（以下、「第１映像出力ボード７４Ａ」および「第２映像出力ボード７４Ｂ」という場合がある）を備え、マトリクススイッチ７２が、８×８のマトリクススイッチである場合を示している。
【０１２０】
図１３では、理解を容易にするために、映像信号処理装置４のうち、入力ボード部７０、マトリクススイッチ７２および出力ボード部７３を図示し、残りの部分については記載を省略する。また入力ボード部７０の各映像入力ボード７１の入力端子８１〜８４および出力端子８５〜８８、ならびに出力ボード部７３の各映像出力ボード７４の入力端子９１〜９４および出力端子９５〜９８は、記載を省略する。
【０１２１】
本実施の形態の映像信号処理装置４は、図１３に示すように、第１映像入力ボード７１Ａと第２映像入力ボード７１Ｂとに入力される、映像フォーマットの異なる複数の映像信号を、各処理部４１〜４４の機能を用いて、予め定める映像フォーマットの映像信号、たとえばＳＥＲＤＥＳ信号に変換する。
【０１２２】
映像信号処理装置４は、変換によって得られた映像信号たとえばＳＥＲＤＥＳ信号を、マトリクススイッチ７２によって、第１および第２映像出力ボード７４Ａ，７４Ｂの各入力端子９１〜９４に出力する。第１および第２映像出力ボード７４Ａ，７４Ｂでは、マトリクススイッチ７２から入力された映像信号たとえばＳＥＲＤＥＳ信号を、各処理部４１〜４４の機能を用いて、所望する種々のフォーマットの映像信号に変換するか、または、元のフォーマットの映像信号に復元して出力する。
【０１２３】
たとえば、第１映像入力ボード７１Ａの第１ｃｈ用入力端子８１に、第１静止画Ａの映像信号として、解像度が「１０２４×７６８」であり、周波数が８０Ｈｚである映像信号が入力される場合を考える。入力された第１静止画Ａの映像信号は、第１映像入力ボード７１Ａの第１ｃｈ用処理部４１によって、第１の実施の形態で説明したように所定の映像フォーマットの映像信号、たとえばＳＥＲＤＥＳ信号に変換されて、第１ｃｈ用出力端子８５から出力される。
【０１２４】
第１映像入力ボード７１Ａの第１ｃｈ用出力端子８５から出力されたＳＥＲＤＥＳ信号などの映像信号は、マトリクススイッチ７２によって、第１映像出力ボード７４Ａの第１ｃｈ用入力端子９１と第２ｃｈ用入力端子９２とに出力される。
【０１２５】
第１映像出力ボード７４Ａの第１ｃｈ用入力端子９１に入力されたＳＥＲＤＥＳ信号などの映像信号は、第１ｃｈ用処理部４１に入力される。第１ｃｈ用処理部４１では、入力されたＳＥＲＤＥＳ信号などの映像信号を、たとえば解像度が「１９２０×１２００」であり、周波数が６０Ｈｚである映像信号に変換して、第１ｃｈ用出力端子９５から出力する。
【０１２６】
同様に、第１映像出力ボード７４Ａの第２ｃｈ用入力端子９２に入力されたＳＥＲＤＥＳ信号などの映像信号は、第２ｃｈ用処理部４２に入力される。第２ｃｈ用処理部４２では、入力されたＳＥＲＤＥＳ信号などの映像信号を、たとえば解像度が「８００×６００」であり、周波数が６０Ｈｚである映像信号に変換して、第２ｃｈ用出力端子９６から出力する。
【０１２７】
第１映像入力ボード７１Ａの第２ｃｈ用入力端子８２に入力された第２静止画Ｂの映像信号は、前述の第１静止画Ａの映像信号と同様に、第２ｃｈ用処理部４２で変換されて、第２ｃｈ用出力端子８６から出力される。出力された映像信号は、マトリクススイッチ７２によって、第１映像出力ボード７４Ａの第３ｃｈ用入力端子８３と第４ｃｈ用入力端子８４とに入力され、第３ｃｈ用処理部４３および第４ｃｈ用処理部４４でそれぞれ処理されて、第３ｃｈ用出力端子９７および第４ｃｈ用出力端子９８から、それぞれ出力される。
【０１２８】
第１映像入力ボード７２Ａの第３ｃｈ用入力端子８３に入力されたＨＤＴＶの第１動画Ｃ１の映像信号は、第２映像出力ボード７４Ｂの第１ｃｈ用出力端子９１から、たとえば解像度が「１０２４×７６８」であり、周波数が６０Ｈｚである映像信号に変換されて出力される。第１映像入力ボード７２Ａの第４ｃｈ用入力端子８４に入力された第２動画Ｃ２の映像信号についても同様であり、処理後の映像信号は、第２映像出力ボード７４Ｂの第２ｃｈ用出力端子９２から出力される。
【０１２９】
第２映像入力ボード７１Ｂの第１ｃｈ用入力端子９１に入力された第３静止画Ｄの映像信号、たとえば解像度が「６４０×４８０」であり、周波数が６０Ｈｚである映像信号は、第２映像出力ボード７４Ｂの第３ｃｈ用出力端子９７と第４ｃｈ用出力端子９８とから、たとえば解像度が「１９２０×１２００」であり、周波数が６０Ｈｚである映像信号に変換されて出力される。
【０１３０】
このように本実施の形態の映像信号処理装置４では、マトリクススイッチ７２の切換制御と、各映像入力ボード７１および各映像出力ボード７４の第１〜第４ｃｈ用処理部４１〜４４の機能とによって、任意のチャンネルの入力端子に入力された映像信号を、任意のチャンネルの出力端子から、任意の映像フォーマットで出力する。
【０１３１】
ここで、第１〜第３静止画Ａ，Ｂ，Ｄの映像信号が入力される処理部４１〜４４では、入力される映像信号が静止画の映像信号であることから、第１の実施の形態と同様に、通常モードから省電力モードに切換えて、不必要な動作を停止させる。
【０１３２】
図１４は、本発明の第５の実施の形態における映像信号処理装置４の省電力モードのときの動作を説明するための図である。図１４では、理解を容易にするために、映像信号処理装置４のうち、入力ボード部７０、マトリクススイッチ７２および出力ボード部７３を図示し、残りの部分については記載を省略する。また入力ボード部７０の各映像入力ボード７１の入力端子８１〜８４および出力端子８５〜８８、ならびに出力ボード部７３の各映像出力ボード７４の入力端子９１〜９４および出力端子９５〜９８は、記載を省略する。
【０１３３】
図１４において、処理部４１〜４４を構成する全ての回路が動作している処理部４１〜４４は、ハッチングを付さずに示している。入力部１２の動作と、変換部１４によるフレームメモリ部１３への書込み動作とが停止している処理部４１〜４４は、左下がりの斜線のハッチングを付して示している。処理部４１〜４４を構成する全ての回路の動作が停止している処理部４１〜４４は、右下がりの斜線のハッチングを付して示している。
【０１３４】
たとえば、第１静止画Ａの場合、映像表示装置で表示すべき映像の内容は、マトリクススイッチ７２を経由して、第１映像出力ボード７４Ａの第１ｃｈ用処理部４１および第２ｃｈ用処理部４２のフレームメモリ部１３に書込まれている。したがって、読出し動作のみで、映像表示装置に出力して表示することができるので、使用者は、映像表示装置に表示される映像を違和感なく見ることができる。
【０１３５】
したがって、図１４に示すように、第１映像入力ボード７１Ａの第１ｃｈ用処理部４１および第２ｃｈ用処理部４２では、入力部１２の動作と、変換部１４によるフレームメモリ部１３への書込み動作は不要となるので、停止させることができる。
【０１３６】
第２静止画Ｂの場合も同様であり、第１映像入力ボード７１Ａの第２ｃｈ用処理部４２、ならびに第１映像出力ボード７４Ａの第３ｃｈ用処理部４３および第４ｃｈ用処理部４４では、入力部１２の動作、および変換部１４によるフレームメモリ部１３への書込み動作は不要となるので、停止させることができる。
【０１３７】
これに対し、第１動画Ｃ１および第２動画Ｃ２が処理されている第１映像入力ボード７１Ａの第３ｃｈ用処理部４３および第４ｃｈ用処理部４４、ならびに第２映像出力ボード７４Ｂの第１ｃｈ用処理部４１および第２ｃｈ用処理部４２）では、全ての回路を動作させておく。
【０１３８】
また、第３静止画Ｄの場合には、第１静止画Ａおよび第２静止画Ｂの場合と同様に、第２映像入力ボード７１Ｂの第１ｃｈ用処理部４１と、第２映像出力ボード７４Ｂの第３ｃｈ用処理部４３および第４ｃｈ用処理部４４とでは、入力部１２の動作、および変換部１４によるフレームメモリ部１３への書込み動作は不要となるので、停止させることができる。さらに、第２映像入力ボード７１Ｂの他のチャンネルには映像信号が入力されないので、第２映像入力ボード７１Ｂそのものの動作を停止させることができる。
【０１３９】
以上のように本実施の形態の映像信号処理装置４によれば、省電力モードの場合には、入力される映像信号の種類および接続状態に応じて、不要な回路の部分、不要なチャンネル、および不要なボードの動作を停止させるので、大幅に消費電力を低減することができる。
【０１４０】
また、このように動作を停止させることによって、前述の第３および第４の実施の形態で説明したように、映像信号処理装置４内の温度を下げることができるので、ファン速度制御部３２を制御して、ファン３２の回転速度を低下させることができる。これによって、処理部４１〜４４を効果的に冷却することができるので、消費電力をさらに低減することができる。したがって、映像信号処理装置４の消費電力を可及的に抑制することができる。また、第３および第４の実施の形態と同様に、ファン３２の回転速度を低下させることによって、ファン３２に加わる負荷を軽減することができ、ファン３２の長寿命化を図ることができる。
【０１４１】
以上に述べた本実施の形態では、静止画を処理するチャンネルの処理部４１〜４４では、第１の実施の形態で示したように不必要な回路を停止させ、動画を処理するチャンネルの処理部４１〜４４では通常モードで動作を行う場合について説明したが、これに限定されない。たとえば、動画を処理するチャンネルの処理部４１〜４４についても、省電力モードで動作させ、第２の実施の形態で示したように一定間隔で表示内容を更新するなど、使用環境および用途によって、各ボード７１，７４の各チャンネルの処理部４１〜４４の動作モードを使い分けて使用してもよい。
【０１４２】
また本実施の形態では、映像入力ボード７１および映像出力ボード７５のいずれも、処理部４１〜４４を４つのチャンネル分備えた場合の映像信号処理装置４について説明したが、必ずしも４つのチャンネルである必要はなく、各ボードのチャンネル数は、任意のチャンネル数としてもよい。
【０１４３】
また本実施の形態では、映像入力ボード７１および映像出力ボード７４をそれぞれ２枚備える場合の映像信号処理装置４について説明したが、これに限定されるものではなく、任意の枚数で構成してもよい。
【０１４４】
また本実施の形態では、第３および第４の実施の形態と同様に、複数のファン３２およびファン速度制御部３３を設けた構成にして、あるファン３２のみ回転速度を低下させ、残りのファン３２の回転速度はそのままにするなど、映像入力ボード７１および映像出力ボード７４の枚数および映像信号処理装置４内における配置に応じて、変更してもよい。これによって、処理部４１〜４４を効果的に冷却することができるので、映像信号処理装置４の動作を安定させつつ、消費電力を低減することができる。
【０１４５】
また本実施の形態では、第３および第４の実施の形態と同様に、ファン３２による空冷ではなく、他の冷却方法、たとえばペルチェ素子などによる冷却方法を用いてもよい。この場合でも、本実施の形態と同様の効果を得ることができる。
【０１４６】
＜第６の実施の形態＞
図１５は、本発明の第６の実施の形態の映像信号処理装置５を示すブロック図である。本実施の形態の映像信号処理装置５は、前述の第５の実施の形態の映像信号処理装置４と構成が類似しているので、異なる部分について説明し、対応する部分には同一の参照符号を付して、共通する説明を省略する。
【０１４７】
本実施の形態では、映像信号処理装置５は、１枚の映像入力ボード７１と、マトリクススイッチ７２と、１枚の映像出力ボード７４と、統括制御部１０１と、動作モード制御部１０２と、省電力設定テーブル記憶部１０３と、映像管理テーブル記憶部１０４と、電源部１０５とを備えて構成される。
【０１４８】
映像入力ボード７１は、前述の第５の実施の形態における映像入力ボード７１と同一の構成であり、第１ｃｈ用処理部４１、第２ｃｈ用処理部４２、第３ｃｈ用処理部４３および第４ｃｈ用処理部４４を備える。映像出力ボード７４は、前述の第５の実施の形態における映像出力ボード７４と同一の構成であり、第１ｃｈ用処理部４１、第２ｃｈ用処理部４２、第３ｃｈ用処理部４３および第４ｃｈ用処理部４４を備える。以下の説明では、第１〜第４ｃｈ用処理部４１〜４４を、「映像信号処理部４１〜４４」という場合がある。
【０１４９】
本実施の形態では、マトリクススイッチ７２は、４×４のマトリクススイッチである。電源部１０５は、前述の第５の実施の形態と同様の映像入力ボード用電源７８、マトリクススイッチ用電源７９および映像出力ボード用電源８０を備える。
【０１５０】
映像入力ボード７１の第１〜第４ｃｈ用処理部４１〜４４には、映像信号処理装置５の外部に設置される複数のカメラ、本実施の形態では４つのカメラ１１１〜１１４が接続されている。以下の説明では、４つのカメラ１１１〜１１４のうち、第１ｃｈ用処理部４１に接続されるカメラを「第１カメラ１１１」といい、第２ｃｈ用処理部４２に接続されるカメラを「第２カメラ１１２」といい、第３ｃｈ用処理部４３に接続されるカメラを「第３カメラ１１３」といい、第４ｃｈ用処理部４４に接続されるカメラを「第４カメラ１１４」という。第１〜第４カメラ１１１〜１１４は、撮像手段に相当する。
【０１５１】
第１〜第４カメラ１１１〜１１４は、撮影範囲内で物体が移動したことを検知して、ローカルエリアネットワーク（Local Area Network；略称：ＬＡＮ）経由で外部へ通知が可能なカメラである。たとえば、第１カメラ１１１のＩＰアドレスを「１９２．１６８．１００．１０」とし、第２カメラ１１２のＩＰアドレスを「１９２．１６８．１００．１１」とし、第３カメラ１１３のＩＰアドレスを「１９２．１６８．１００．１２」とし、第４カメラ１１４のＩＰアドレスを「１９２．１６８．１００．１３」とする。
【０１５２】
映像管理テーブル記憶部１０４は、映像管理テーブルを記憶する。映像管理テーブルは、各カメラ１１１〜１１４が接続されている映像入力ボード７１の映像信号処理部４１〜４４の名称と、各カメラ１１１〜１１４のＩＰアドレスと、通常モード時間とを含んで構成される。ここで、「通常モード時間」とは、動作モードを省電力モードから通常モードに変更後、再び省電力モードに戻るまでの時間のことである。映像管理テーブル記憶部１０４は、映像管理テーブル記憶手段に相当する。カメラ１１１〜１１４のＩＰアドレスは、各カメラ１１１〜１１４を識別する識別情報に相当する。
【０１５３】
動作モード制御部１０２は、イーサネット（登録商標）ハブ１１０を介して、各カメラ１１１〜１１４に接続される。動作モード制御部１０２は、各カメラ１１１〜１１４からの動体検知の通知を受けて、映像管理テーブル記憶部１０４に記憶されている映像管理テーブルに基づいて、いずれの映像信号処理部４１〜４４を省電力モードに切り替えるかを判定する。
【０１５４】
動作モード制御部１０２は、判定結果に基づいて、統括制御部１０１に対して、省電力モードに切換えるように判定した映像入力処理部４１〜４４を省電力モードで制御するように指示する。動作モード制御部１０２は、映像管理テーブル記憶部１０４に記憶されている映像管理テーブルに格納されている通常モード時間が経過すると、再び動作モードを通常モードから省電力モードに切替えるように、統括制御部１０１に指示する。
【０１５５】
省電力設定テーブル記憶部１０３は、省電力設定テーブルを記憶する。省電力設定テーブルは、映像入力ボード７１の映像信号処理部４１〜４４の名称と、各映像信号処理部４１〜４４における停止期間フレーム数とを含んで構成される。ここで、「停止期間フレーム数」とは、入力部１２の動作、具体的には映像取込み動作、および変換部１４によるフレームメモリ部１３への書込み動作を停止するフレーム数のことである。省電力設定テーブル記憶部１０３は、省電力設定テーブル記憶手段に相当する。
【０１５６】
統括制御部１０１は、映像信号処理装置５を構成する映像入力ボード７１、マトリクススイッチ７２、映像出力ボード７４、動作モード制御部１０２、省電力設定テーブル記憶部１０３、映像管理テーブル記憶部１０４および電源部１０５を統括的に制御する。統括制御部１０１は、映像入力ボード７１と、映像出力ボード７４と、マトリクススイッチ５３０とをそれぞれ制御する。統括制御部１０１は、動作モード制御部１０２から与えられる動作モードの指示に従い、映像入力ボード７１および映像出力ボード７４の映像信号処理部４１〜４４を個別に制御する。
【０１５７】
図１６は、本発明の第６の実施の形態における映像信号処理装置５の動作を説明するための図である。図１６では、理解を容易にするために、映像信号処理装置５のうち、映像入力ボード７１、マトリクススイッチ７２および映像出力ボード７４を図示し、残りの部分については記載を省略する。また映像入力ボード７１の入力端子８１〜８４および出力端子８５〜８８、ならびに映像出力ボード７４の入力端子９１〜９４および出力端子９５〜９８は、記載を省略する。
【０１５８】
図１６において、処理部４１〜４４を構成する全ての回路が動作している処理部４１〜４４は、ハッチングを付さずに示している。処理部４１〜４４を構成する全ての回路の動作が停止している処理部４１〜４４は、右下がりの斜線のハッチングを付して示している。
【０１５９】
本実施の形態の映像信号処理装置５は、図１６に示すように、映像入力ボード７１に入力される複数のカメラ１１１〜１１４からの映像信号を、第１〜第４ｃｈ用処理部４１〜４４の機能を用いて、予め定める映像フォーマットの映像信号、たとえばＳＥＲＤＥＳ信号に変換する。映像信号処理装置５は、変換して得られたＳＥＲＤＥＳ信号などの映像信号を、マトリクススイッチ７２によって、映像出力ボード７４の各入力端子９１〜９４に出力する。
【０１６０】
映像出力ボード７４では、入力されたＳＥＲＤＥＳ信号などの映像信号を、第１〜第４ｃｈ用処理部４１〜４４の機能を用いて、所望する種々のフォーマットの映像信号に変換するか、または、元のフォーマットの映像信号に復元して出力する。
【０１６１】
映像入力ボード７１の第１ｃｈ用入力端子９５に入力された第１カメラ１１１の入力映像の映像信号、たとえば解像度が「６４０×４８０」であり、周波数が６０Ｈｚである映像信号は、第１の実施の形態で説明したように、第１ｃｈ用処理部４１によって、所定の映像フォーマットの映像信号、たとえばＳＥＲＤＥＳ信号に変換されて、第１ｃｈ用出力端子９５から出力される。
【０１６２】
映像入力ボード７１の第１ｃｈ用端子９５から出力されたＳＥＲＤＥＳ信号などの映像信号は、マトリクススイッチ７２によって、映像出力ボード７４の第１ｃｈ用入力端子９１に出力される。映像出力ボード７４の第１ｃｈ用処理部４１では、入力されたＳＥＲＤＥＳ信号などの映像信号を、たとえば解像度が「３２０×２４０」であり、周波数が６０Ｈｚである映像信号に変換して、第１カメラ１１１の出力映像として、第１ｃｈ用出力端子９５から出力する。
【０１６３】
映像入力ボード７１の第２ｃｈ用入力端子８２に入力された第２カメラ１１２の入力映像の映像信号、たとえば解像度が「６４０×４８０」であり、周波数が６０Ｈｚである映像信号は、映像出力ボード７４の第２ｃｈ用出力端子８２から、たとえば解像度が「６４０×４８０」であり、周波数が６０Ｈｚである映像信号に変換されて出力される。
【０１６４】
映像入力ボード７１の第３ｃｈ用入力端子８３に入力された第３カメラ１１３の入力映像の映像信号、たとえば解像度が「６４０×４８０」であり、周波数が６０Ｈｚである映像信号は、映像出力ボード７４の第３ｃｈ用出力端子９７から、たとえば解像度が「１２８０×９６０」であり、周波数が６０Ｈｚである映像信号に変換されて出力される。
【０１６５】
映像入力ボード７１の第４ｃｈ用入力端子８４に入力された第４カメラ１１４の入力映像の映像信号、たとえば解像度が「６４０×４８０」であり、周波数が６０Ｈｚである映像信号は、映像出力ボード７１の第４ｃｈ用出力端子９８から、たとえば解像度が「８００×６００」であり、周波数が６０Ｈｚである映像信号に変換されて出力される。
【０１６６】
このように本実施の形態の映像信号処理装置５では、マトリクススイッチ７２の切換制御と、各ボード７１，７４の第１〜第４ｃｈ用処理部４１〜４４の機能とによって、任意のチャンネルの入力端子に入力された映像信号を、任意のチャンネルの出力端子から、任意の映像フォーマットで出力する。
【０１６７】
ここで、撮影範囲内で変化が無い平常時には、全てのカメラ１１１〜１１４は、第１の実施の形態で示したように、通常モードから省電力モードに切換えて、不必要な動作を停止させる。
【０１６８】
図１７は、本発明の第６の実施の形態における映像信号処理装置５の省電力モードのときの動作を説明するための図である。図１７では、理解を容易にするために、映像信号処理装置５のうち、映像入力ボード７１、マトリクススイッチ７２および映像出力ボード７４を図示し、残りの部分については記載を省略する。また映像入力ボード７１の入力端子８１〜８４および出力端子８５〜８８、ならびに映像出力ボード７４の入力端子９１〜９４および出力端子９５〜９８は、記載を省略する。
【０１６９】
図１７において、処理部４１〜４４を構成する全ての回路が動作している処理部４１〜４４は、ハッチングを付さずに示している。入力部１２の動作および変換部１４によるフレームメモリ部１３への書込み動作が一定期間停止される処理部４１〜４４は、右下がりの斜線のハッチングを付して示している。この停止期間については、映像入力ボード７１の各処理部４１〜４４に対して、個別に設定できるようになっている。
【０１７０】
表１は、各映像信号処理部４１〜４４の停止期間を表す省電力設定テーブルの一例である。省電力設定テーブルは、映像信号処理部の名称と、停止期間を表す停止期間フレーム数とから構成される。フレーム数は、１秒間あたり６０である。したがって、停止期間フレーム数が６００とは、１０秒間に相当する。
【０１７１】
【表１】
0005846890.tif 000002
【０１７２】
統括制御部１０１は、省電力設定テーブル記憶部１０３に記憶される省電力設定テーブルに基づいて、映像入力ボード７１の各映像信号処理部４１〜４４の制御を行う。
【０１７３】
たとえば、図１７に示す映像入力ボード７１の第１ｃｈ用処理部４１に入力されている第１カメラ１１１の映像（以下「入力映像」という場合がある）は、表１の省電力設定テーブルから、停止期間フレーム数が６００である。したがって、第１ｃｈ用処理部４１は、１フレーム分の映像信号を取込んだ後、６００フレームの間、入力部１２の動作および変換部１４によるフレームメモリ部１３への書込み動作を停止する。
【０１７４】
その間は、停止直前に取込まれた映像信号が、フレームメモリ部１３から、たとえば６０Ｈｚのタイミングで読出され、マトリクススイッチ７２を介して、映像出力ボード７４の第１ｃｈ用処理部４１に与えられる。
【０１７５】
映像出力ボード７４の第１ｃｈ用処理部４１は、与えられた映像信号を、たとえば解像度が「３２０×２４０」であり、周波数が６０Ｈｚである映像信号に変換して、第１ｃｈ用出力端子９５から出力する。したがって、第１カメラ１１１の出力映像は、１０秒に１回更新される映像として、映像表示装置に表示される。
【０１７６】
映像入力ボード７１の第２ｃｈ用処理部４２に入力されている第２カメラ１１２の入力映像は、表１に示す省電力設定テーブルから、停止期間フレーム数が３００である。したがって、第２ｃｈ用処理部４２は、１フレーム分の映像信号を取込んだ後、３００フレームの間、入力部１２の動作および変換部１４によるフレームメモリ部１３への書込み動作を停止する。
【０１７７】
その間は、停止直前に取込まれた映像信号が、フレームメモリ部１３から、たとえば６０Ｈｚのタイミングで読出され、マトリクススイッチ７２を介して、映像出力ボード７４の第２ｃｈ用処理部４２に与えられる。
【０１７８】
映像出力ボード７４の第２ｃｈ用処理部４２は、与えられた映像信号を、たとえば解像度が「６４０×４８０」であり、周波数が６０Ｈｚである映像信号に変換して、第２ｃｈ用出力端子９６から出力する。したがって、第２カメラ１１２の出力映像は、５秒に１回更新される映像として、映像表示装置に表示される。
【０１７９】
映像入力ボード７１の第３ｃｈ用処理部４３に入力されている第３カメラ１１３の入力映像は、表１に示す省電力設定テーブルから、停止期間フレーム数が１２０である。したがって、第３ｃｈ用処理部４３は、１フレーム分の映像信号を取込んだ後、１２０フレームの間、入力部１２の動作および変換部１４によるフレームメモリ部１３への書込み動作を停止する。
【０１８０】
その間は、停止直前に取込まれた映像信号が、フレームメモリ部１３から、たとえば６０Ｈｚのタイミングで読出され、マトリクススイッチ７２を介して、映像出力ボード７４の第３ｃｈ用処理部４３に与えられる。
【０１８１】
映像出力ボード７４の第３ｃｈ用処理部４３は、与えられた映像信号を、たとえば解像度が「１２８０×９６０」であり、周波数が６０Ｈｚである映像信号に変換して、第３ｃｈ用出力端子９７から出力する。したがって、第３カメラ１１３の出力映像は、２秒に１回更新される映像として、映像表示装置に表示される。
【０１８２】
映像入力ボード７１の第４ｃｈ用処理部４４に入力されている第４カメラ１１４の入力映像は、表１に示す省電力設定テーブルから、停止期間フレーム数が６０である。したがって、第４ｃｈ用処理部４４は、１フレーム分の映像信号を取込んだ後、６０フレームの間、入力部１２の動作および変換部１４によるフレームメモリ部１３への書込み動作を停止する。
【０１８３】
その間は、停止直前に取込まれた映像信号が、フレームメモリ部１３から、たとえば６０Ｈｚのタイミングで読出され、マトリクススイッチ７２を介して、映像出力ボード７４の第４ｃｈ用処理部４４に与えられる。
【０１８４】
映像出力ボード７４の第４ｃｈ用処理部４４は、与えられた映像信号を、たとえば解像度が「８００×６００」であり、周波数が６０Ｈｚである映像信号に変換して、第４ｃｈ用出力端子９８から出力する。したがって、第４カメラ１１４の出力映像は、１秒に１回更新される映像として、映像表示装置に表示される。
【０１８５】
以上のような動作状態において、たとえば、第１カメラ１１１で撮影している範囲内に侵入者があった場合、第１カメラ１１１は、動体を検知したと判断して、イーサネット（登録商標）ハブ１１０およびＬＡＮを介して、動作モード制御部１０２へ通知を行う。
【０１８６】
動作モード制御部１０２は、映像管理テーブル記憶部１０４に記憶されている映像管理テーブルに基づいて、通知を受けたＩＰアドレスに対応するカメラが接続されている映像入力ボード７１の映像信号処理部４１〜４４を求める。
【０１８７】
表２は、映像管理テーブルの一例である。第１カメラ１１１のＩＰアドレスは、「１９２．１６８．１００．１０」であるので、表２から、第１カメラ１１１に接続されている映像信号処理部は、第１ｃｈ用処理部４１であることがわかる。
【０１８８】
【表２】
0005846890.tif 000003
【０１８９】
動作モード制御部１０２は、統括制御部１０１に対して、通知を受けたカメラが接続されている映像信号処理部として特定した映像信号処理部、ここでは第１ｃｈ用処理部４１を、省電力モードから通常モードに戻すように指示する。
【０１９０】
統括制御部１０１は、指示された映像信号処理部、ここでは第１ｃｈ用処理部４１を制御し、入力部１２の動作および変換部１４によるフレームメモリ部１３への書込み動作を再開させる。これによって、第１ｃｈ用処理部４１は、入力部１２で１秒間に６０回の映像の取込みを行い、変換部１４で、フレームメモリ部１３への書込み動作を行う。
【０１９１】
第１ｃｈ用処理部４１の入力部１２で取込まれた映像の映像信号は、マトリクススイッチ７２を介して、映像出力ボード７４の第１ｃｈ用処理部４１に与えられる。映像出力ボード７４の第１ｃｈ用処理部４１は、与えられた映像信号を、たとえば解像度が「６４０×４８０」であり、周波数が６０Ｈｚである映像信号に変換して出力する。したがって、第１カメラ１１１の出力映像は、１秒間に６０回更新される映像として、映像表示装置に表示される。
【０１９２】
図１７では、以上のように第１カメラ１１１の接続される映像入力ボード７１の映像信号処理部、すなわち第１ｃｈ用処理部４１が、通常モードになっている状態を示している。図１７に示すように、映像入力ボード７１の処理部４１〜４４のうち、第１ｃｈ用処理部４１以外の処理部４２〜４４は、省電力モードで動作している。
【０１９３】
動作モード制御部１０４は、映像管理テーブル記憶部１０４に記憶される映像管理テーブルに基づいて、第１ｃｈ用処理部４１の通常モード時間が経過すると、第１ｃｈ用処理部４１を通常モードに戻すように、統括制御部１０１に指示する。
【０１９４】
たとえば、前述の表２に示す映像管理テーブルでは、第１ｃｈ用処理部４１の通常モード時間は５分である。したがって、動作モード制御部１０２は、第１ｃｈ用処理部４１を通常モードに切換えるように指示した時点から５分間が経過すると、第１ｃｈ用処理部４１を省電力モードに戻すように、統括制御部１０１に指示する。
【０１９５】
以上のように本実施の形態の映像信号処理装置５によれば、カメラ１１１〜１１４の撮影範囲内に侵入者などがない平常時には、各カメラ１１１〜１１４に接続される映像入力ボード７１の各処理部４１〜４４を省電力モードで動作させる。これによって、動作させる必要のない回路の部分の動作を停止させることができるので、消費電力を大幅に低減することができる。したがって、映像信号処理装置５の消費電力を可及的に抑制することができる。
【０１９６】
そして、映像信号処理装置５は、カメラ１１１〜１１４の撮影範囲内に侵入者などが生じた場合などの緊急時には、侵入者を写しているカメラの映像が入力されている映像入力ボード７１の映像信号処理部のみを通常モードに戻して動作させる。これによって、侵入者を写しているカメラからの全ての映像を取得することができ、映像情報が欠落することがないので、監視に支障を来すことがない。
【０１９７】
また、通常モードに切換えられた映像信号処理部は、一定時間の経過後には省電力モードに戻るので、使用者が省電力モードに戻すように切換える操作を行うことなく、省電力モードに戻して、消費電力を低減することができる。
【０１９８】
以上に述べた本実施の形態では、映像入力ボード７１および映像出力ボード７４はいずれも、１枚が備えられているが、任意の枚数が備えられてもよい。
【０１９９】
また、本実施の形態では、マトリクススイッチ７２は、４×４のマトリクススイッチであるが、これに限定されるものではない。また、本実施の形態では、外部への通知する手段として、ＬＡＮを用いているが、これに限定されるものではない。
【０２００】
本発明は、その発明の範囲内において、前述の各実施の形態を自由に組み合わせることが可能であり、また各実施の形態の任意の構成要素を適宜、変形または省略することが可能である。
【符号の説明】
【０２０１】
１  映像信号処理装置、１０  映像信号処理部、１１  統括制御部、１２  入力部、１３  フレームメモリ部、１４  変換部、１５  出力部、１６  電源部、１７  操作部、２０  処理部用電源、２１  入力部用電源、２２  変換部用電源２２、メモリ部用電源２３、２４  出力部用電源。
【図１】
0005846890.tif 000004
【図２】
0005846890.tif 000005
【図３】
0005846890.tif 000006
【図４】
0005846890.tif 000007
【図５】
0005846890.tif 000008
【図６】
0005846890.tif 000009
【図７】
0005846890.tif 000010
【図８】
0005846890.tif 000011
【図９】
0005846890.tif 000012
【図１０】
0005846890.tif 000013
【図１１】
0005846890.tif 000014
【図１２】
0005846890.tif 000015
【図１３】
0005846890.tif 000016
【図１４】
0005846890.tif 000017
【図１５】
0005846890.tif 000018
【図１６】
0005846890.tif 000019
【図１７】
0005846890.tif 000020